(57)【特許請求の範囲】
【請求項１】
打撃列と、異なる音質の音を生成するように配列された少なくとも２つの打撃槌と、前記槌の一方を作動させる時間用上昇部（７ａ）および第１の四半時間用上昇部（７ｂ）と、他方の槌を作動させる分用上昇部（８ａ）および第２の四半時間用上昇部（８ｂ）と、前記打撃列と協働するように配列された歯付き扇形部（９）、前記時間用上昇部（７ａ）を作動させるように配列された時間用歯竿（１１）、および時間用カム（１３）と協働するように配列された時間用触覚軸部（１２）を備える時間用構成部（２）と、前記第１の四半時間用上昇部（７ｂ）を作動させるように配列された第１の歯部（１６ａ）および前記第２の四半時間用上昇部（８ｂ）を作動させるように配列された第２の歯部（１６ｂ）を有する四半時間用歯竿、ならびに四半時間用カム（５）と協働するように配列された四半時間用触覚軸部（１７）を備える四半時間用構成部（４）と、前記分用上昇部（８ａ）を作動させるように配列された分用歯竿（２５）、および分用カム（２７）と協働するように配列された分用触覚軸部（２６）を備える分用構成部（６）と、を備える打撃機構（１）を備える時計であり、前記時間用構成部（２）、四半時間用構成部（４）、および分用構成部（６）は、同じ軸（３）の周りに枢動可能に取り付けられ、前記四半時間用構成部（４）および前記分用構成部（６）は、第１の駆動歯部（３４）と協働する第１の駆動機関を用いて運動学的に接続される、時計であって、前記時間用構成部（２）および前記四半時間用構成部（４）の一方は、第２の駆動歯部（２１）を備え、前記時間用構成部（２）および前記四半時間用構成部（４）の他方は、前記第２の駆動歯部（２１）と協働し、かつ前記時間用構成部（２）および前記四半時間用構成部（４）を運動学的に接続する一方で、時間の打撃および四半時間の打撃の間、または打つ四半時間が全くないときには時間の打撃および分の打撃の間における不動時間を除去することができるように配列された第２の駆動機関を備えることを特徴とする、時計。
【請求項２】
前記第１の駆動機関は、前記四半時間用構成部（４）上に枢動可能に取り付けられた第１の鉤（３０）を備えることと、前記第１の駆動歯部（３４）は、前記第１の鉤（３０）から横切って前記分用構成部（６）上に設けられることとを特徴とする、請求項１に記載の時計。
【請求項３】
第１の塞ぎ止め部（３６）が、前記時計の枠上に静止して取り付けられて設けられ、前記第１の鉤（３０）は、前記分用構成部（６）の位置に応じて前記第１の駆動歯部（３４）の歯のうち１つと協働するように枢動するように、前記第１の塞ぎ止め部（３６）と協働するように配列されることを特徴とする、請求項２に記載の時計。
【請求項４】
第２の塞ぎ止め部（２２）が、前記時計の枠上に静止して取り付けられて設けられ、前記第２の駆動機関は、前記第２の駆動歯部（２１）の位置に応じて前記第２の駆動歯部（２１）の歯のうち１つと協働し、かつ前記不動時間を除去することができるように、前記第２の塞ぎ止め部（２２）と協働するように配列されることを特徴とする、請求項１〜３の何れか一項に記載の時計。
【請求項５】
前記第２の駆動機関は第２の鉤（１８）を備えることを特徴とする、請求項１〜４の何れか一項に記載の時計。
【請求項６】
前記第２の鉤（１８）は、前記時間用構成部（２）上に枢動可能に取り付けられることと、前記第２の駆動歯部（２１）は、前記第２の鉤（１８）から横切って前記四半時間用構成部（４）上に設けられることとを特徴とする、請求項５に記載の時計。
【請求項７】
前記打撃列は、同軸に配列された、エネルギー源と協働する打撃転輪（４１、６１）と、前記時間用構成部（２）と協働する第１の小歯車（１０）と、前記打撃転輪（４１）が打撃を可能にするように前記第１の小歯車（１０）に運動学的に接続される被連結位置、および、前記第１の小歯車（１０）が打撃の準備を可能にするように前記打撃転輪（４１）から切断される被脱連結位置の間で動くように配列された連結システム（４３、６３）と、を備える打撃駆動転輪（４０、６０）を備えることを特徴とする、請求項１〜６の何れか一項に記載の時計。
【請求項８】
前記連結システム（４３、６３）は、前記打撃転輪（４１、６１）に固定されかつ嘴状部（４９、７８）を有する爪（４５、７５）と、前記第１の小歯車（１０）に固定され、かつ前記爪（４５、７４）の前記嘴状部（４９、７８）と協働することができるように配列された第２の小歯車（４６、７２）と、を備え、前記爪（４５、７４）は、前記嘴状部（４９、７８）が前記第２の小歯車（４６、７２）と協働し、前記第１の小歯車（１０）および第２の小歯車（４６、７２）が前記打撃転輪（４１、６１）により回転される被連結位置、および、前記爪の前記嘴状部（４９、７８）が前記第２の小歯車（４６、７２）から解放され、その後前記第１の小歯車（１０）および第２の小歯車（４６、７２）が前記打撃転輪（４１、６１）に対して自由に回転する被脱連結位置の間で動くように配列されることを特徴とする、請求項７に記載の時計。
【請求項９】
前記連結システム（４３）は、前記打撃転輪（４１）に固定された第１の皿（４４）を備え、前記爪（４５）は、前記第１の皿（４４）により支持され、前記爪（４５）は、前記第１の皿（４４）上に枢軸可能に取り付けられた第１の端部（４５ａ）と、前記嘴状部（４９）を有する第２の自由端部（４５ｂ）と、を備えることを特徴とする、請求項８に記載の時計。
【請求項１０】
前記爪（４５）は、前記打撃転輪（４１）に同軸に自由に回転して取り付けられ、かつ制御機関により制御される戻り止め爪車（５２）と協働するピン（５０）を支え、前記ピン（５０）および前記嘴状部（４９）の間にある前記爪（４５）の一部は、前記打撃駆動転輪の軸に対して偏心して配列されることを特徴とする、請求項９に記載の時計。
【請求項１１】
前記被脱連結位置に到達するために、前記戻り止め爪車（５２）は、前記制御機関により駆動され、かつ前記ピン（５０）を駆動することにより前記爪（４５）の第２の端部（４５ｂ）を動かすように配列され、そのため、前記爪（４５）の前記嘴状部（４９）は、前記第２の小歯車（４６）から解放されることを特徴とする、請求項１０に記載の時計。
【請求項１２】
前記被連結位置に到達するために、前記戻り止め爪車（５２）は、前記ピン（５０）を保持するために、前記制御機関により妨害されるように配列されることと、前記打撃転輪（４１）は、回転され、かつ前記第１の皿（４４）および前記爪（４５）の前記第１の端部（４５ａ）を誘導するように配列され、そのため、前記爪（４５）は、その嘴状部（４９）を前記第２の小歯車（４６）との協働状態に戻す間に傾くこととを特徴とする、請求項１０または１１に記載の時計。
【請求項１３】
前記連結システム（６３）は、第１の歯付き扇形部（８２）を備え、かつ前記打撃転輪（６１）上に枢動可能に取り付けられた第２の皿（７５）を備え、前記爪（７４）は、前記第２の皿（７５）に固定されることを特徴とする、請求項８に記載の時計。
【請求項１４】
前記連結システム（６３）は、前記第２の皿（７５）の前記第１の歯付き扇形部（８２）と協働するように配列され、かつ制御機関により制御される制御爪車（６８）に固定された第２の歯付き扇形部（７０）を有する中心管（６９）を備えることを特徴とする、請求項１３に記載の時計。
【請求項１５】
前記被脱連結位置に到達するために、前記制御爪車（６８）は、前記制御機関により駆動され、かつ前記第２の皿（７５）の前記第１の歯付き扇形部（８２）を駆動することにより前記爪（７４）を動かすように配列され、そのため、前記爪（７４）の前記嘴状部（７８）は、前記第２の小歯車（７２）から解放されることを特徴とする、請求項１４に記載の時計。
【請求項１６】
前記被連結位置に到達するために、前記制御爪車（６８）は、前記第２の皿（７５）の前記第１の歯付き扇形部（８２）を保持するために、前記制御機関により妨害されるように配列されることと、前記打撃転輪（６１）は、回転され、かつ前記第２の皿（７５）および前記爪（７４）を誘導するように配列され、そのため、前記爪（７４）は、その嘴状部（７８）を前記第２の小歯車（７２）との協働状態に戻す間に傾くこととを特徴とする、請求項１４または１５に記載の時計。
【発明の詳細な説明】
【技術分野】
【０００１】
本発明は、時計学の分野に関する。それは、より具体的には時計に、特に、打撃列と、異なる音質の音を生成するように配列された少なくとも２つの打撃槌と、前記槌の一方を作動させる時間用上昇部および第１の四半時間用上昇部と、他方の槌を作動させる分用上昇部および第２の四半時間用上昇部と、前記打撃列と協働するように配列された歯付き扇形部、前記時間用上昇部を作動させるように配列された時間用歯竿、および時間用カムと協働するように配列された時間用触覚軸部を備える時間用構成部と、前記第１の四半時間用上昇部を作動させるように配列された第１の歯部、および前記第２の四半時間用上昇部を作動させるように配列された第２の歯部を有する四半時間用歯竿、ならびに四半時間用カムと協働するように配列された四半時間用触覚軸部を備える四半時間用構成部と、前記分用上昇部を作動させるように配列された分用歯竿、および分用カムと協働するように配列された分用触覚軸部を備える分用構成部と、を備える打撃機構を有する時計に関し、前記時間用構成部、四半時間用構成部、および分用構成部は、同じ軸の周りに枢動可能に取り付けられ、前記四半時間用構成部および前記分用構成部は、第１の駆動歯部と協働する第１の駆動機関を用いて運動学的に接続される。
【背景技術】
【０００２】
そのような時計は、特に、繰り返し時計つまり大打撃機構を有する携帯時計等の、複雑といわれている携帯時計の分野においてしばらくの間知られてきた。こうした携帯時計は、規則的な時間間隔で要求に応じてまたは自動的に打撃することを目的として、多少複雑な打撃機構を有する。
【０００３】
そのような時計は、例えば出願ＥＰ  １７６０５５３（欧州特許出願明細書第１７６０５５３号公報）に記載されている。その文献では、当該時計は、互いに固定された歯竿および触覚軸部をそれぞれ備える、時間用構成部、四半時間用構成部、および分用構成部を備える。前記構成部は、同じ軸の周りに枢動可能に取り付けられる。時間用構成部による四半時間用構成部の駆動は、四半時間用構成部上に設けられた開口部と係合された、時間用構成部上に設けられたピンを用いて行われる。
【０００４】
打撃機構の動作の最中に、ピンおよび開口部のそれぞれの初期位置は、現在時刻に応じて、それぞれ、時間用構成部および四半時間用構成部の位置に応じて変化する。結果として、時間用構成部のピンが四半時間用構成部の開口部と接触するのに必要な時間は変化する。そのため、時間の打撃および四半時間のそれの間、または打つ四半時間が全くないときには時間のそれおよび分のそれの間に、可変長の不動時間があり得る。
【０００５】
時間用爪車を備える、別の伝統的な種類の打撃機構が、特許ＣＨ  ９７００（スイス特許第９７００号公報）に記載されている。「垂直歯竿」と呼ばれる追加の部品が、四半時間用構成部および分用構成部の間に配置され、かつ鎖引きの軸の歯付き扇形部と嵌合する内側歯部を有する。この部品により、時間および分の打撃の間の間隔を規則化することが可能になり、鎖引きの軸の歯付き扇形部は、その第１の歯により前記垂直歯竿の歯部の適切な歯と嵌合する。しかしながら、そのような機構は、既に複雑である機構においては追加の部品を必要とする。さらに、この構成は嵌合の途切れに繋がり、それにより、効率損失を引き起こす突合せ等の、重大な状況が生じ得るだろう。
【０００６】
さらに、打撃駆動機構は概して複雑であり、かつ、打撃に備えることを可能にし、その後打撃列と協働して打撃を可能にする、様々な要素の重ね合わせを提供する。
【発明の概要】
【発明が解決しようとする課題】
【０００７】
従って、本発明の１つの目的は、時間の打撃および四半時間のそれの間、または打つ四半時間が全くないときには時間のそれおよび分のそれの間における可変長の不動時間を除去することを可能にする打撃機構を有する時計を提案することにより、こうした欠点を相殺することである。
【０００８】
別の目的は、簡素化した打撃駆動機構を用いることを可能にする時計を提案することである。
【課題を解決するための手段】
【０００９】
本発明の簡潔な記載
そのために、かつ本発明によれば、打撃列と、異なる音質の音を生成するように配列された少なくとも２つの打撃槌と、前記槌の一方を作動させる時間用上昇部および第１の四半時間用上昇部と、他方の槌を作動させる分用上昇部および第２の四半時間用上昇部と、前記打撃列と協働するように配列された歯付き扇形部、前記時間用上昇部を作動させるように配列された時間用歯竿、および時間用カムと協働するように配列された時間用触覚軸部を備える時間用構成部と、前記第１の四半時間用上昇部を作動させるように配列された第１の歯部、および前記第２の四半時間用上昇部を作動させるように配列された第２の歯部を有する四半時間用歯竿、ならびに四半時間用カムと協働するように配列された四半時間用触覚軸部を備える四半時間用構成部と、前記分用上昇部を作動させるように配列された分用歯竿、および分用カムと協働するように配列された分用触覚軸部を備える分用構成部と、を備える打撃機構を有する時計が提案されており、前記時間用構成部、四半時間用構成部、および分用構成部は、同じ軸の周りに枢動可能に取り付けられ、前記四半時間用構成部および前記分用構成部は、第１の駆動歯部と協働する第１の駆動機関を用いて運動学的に接続される。本発明によれば、前記時間用構成部および四半時間用構成部の一方は、第２の駆動歯部を備え、前記時間用構成部および四半時間用構成部の他方は、前記第２の駆動歯部と直接協働し、かつ前記時間用構成部および四半時間用構成部を運動学的に接続する一方で、時間の打撃および四半時間のそれの間、または打つ四半時間が全くないときには時間のそれおよび分のそれの間における不動時間を除去することができるように配列された第２の駆動機関を備える。
【００１０】
有利には、前記第１の駆動機関は、前記四半時間用構成部上に枢動可能に取り付けられた第１の鉤を備えることがあり、前記第１の駆動歯部は、前記第１の鉤から横切って前記分用構成部上に設けられる。好ましくは、第１の塞ぎ止め部が、前記時計の枠上に静止して取り付けられて設けられ、前記第１の鉤は、前記分用構成部の位置に応じて前記第１の駆動歯部の歯のうち１つと協働するように枢動するように、前記第１の塞ぎ止め部と協働するように配列される。
【００１１】
有利には、第２の塞ぎ止め部が、前記時計の枠上に静止して取り付けられて設けられ、前記第２の駆動機関は、前記第２の駆動歯部の位置に応じて前記第２の駆動歯部の歯のうち１つと協働し、かつ前記不動時間を除去することができるように、前記第２の塞ぎ止め部と協働するように配列される。好ましくは、前記第２の駆動機関は第２の鉤を備えることがある。有利には、前記第２の鉤は、前記時間用構成部上に枢動可能に取り付けられ、前記第２の駆動歯部は、前記第２の鉤から横切って前記四半時間用構成部上に設けられる。
【００１２】
有利には、前記打撃列は、同軸に配列された、エネルギー源と協働する打撃転輪と、前記時間用構成部と協働する第１の小歯車と、前記打撃転輪が打撃を可能にするように前記第１の小歯車に運動学的に接続される被連結位置、および、前記第１の小歯車が打撃の準備を可能にするように前記打撃転輪から切断される被脱連結位置の間で動くように配列された連結システムと、を備えることがある打撃駆動転輪を備える。
【００１３】
好ましくは、前記連結システムは、前記打撃転輪に固定されかつ嘴状部を有する爪と、前記第１の小歯車に固定され、かつ前記爪の前記嘴状部と協働することができるように配列された第２の小歯車と、を備え、前記爪は、前記嘴状部が前記第２の小歯車と協働し、前記第１の小歯車および第２の小歯車が前記打撃転輪により回転される被連結位置、および、前記爪の前記嘴状部が前記第２の小歯車から解放され、その後前記第１の小歯車および第２の小歯車が前記打撃転輪に対して自由に回転する被脱連結位置の間で動くように配列される。
【００１４】
第１の実施形態によれば、前記連結システムは、前記打撃転輪に固定された第１の皿を備えることがあり、前記爪は、前記第１の皿により支持され、前記爪は、前記第１の皿上に枢軸可能に取り付けられた第１の端部と、前記嘴状部を有する第２の自由端部と、を備える。
【００１５】
好ましくは、前記爪は、前記打撃転輪に同軸に自由に回転して取り付けられ、かつ制御機関により制御される戻り止め爪車と協働するピンを支えることがあり、前記ピンおよび前記嘴状部の間にある前記爪の一部は、前記打撃駆動転輪の軸に対して偏心して配列される。
【００１６】
有利には、前記被脱連結位置に到達するために、前記戻り止め爪車は、前記制御機関により駆動され、かつ前記ピンを駆動することにより前記爪の第２の端部を動かすように配列され、そのため、前記爪の前記嘴状部は、前記第２の小歯車から解放される。前記被連結位置に到達するために、前記戻り止め爪車は、前記ピンを保持するために、前記制御機関により妨害されるように配列され、前記打撃転輪は、回転され、かつ前記第１の皿および前記爪の前記第１の端部を誘導するように配列され、そのため、前記爪は、その嘴状部を前記第２の小歯車との協働状態に戻す間に傾く。
【００１７】
別の実施形態によれば、前記連結システムは、第１の歯付き扇形部を備え、かつ前記打撃転輪上に枢動可能に取り付けられた第２の皿を備えることがあり、前記爪は、前記第２の皿に固定される。前記連結システムは、前記第２の皿の前記第１の歯付き扇形部と協働するように配列され、かつ制御機関により制御される制御爪車に固定された第２の歯付き扇形部を有する中心管を備えることもある。有利には、前記被脱連結位置に到達するために、前記制御爪車は、前記制御機関により駆動され、かつ前記第２の皿の前記第１の歯付き扇形部を駆動することにより前記爪を動かすように配列され、そのため、前記爪の前記嘴状部は、前記第２の小歯車から解放される。前記被連結位置に到達するために、前記制御爪車は、前記第２の皿の前記第１の歯付き扇形部を保持するために、前記制御機関により妨害されるように配列され、前記打撃転輪は、回転され、かつ前記第２の皿および前記爪を誘導するように配列され、そのため、前記爪は、その嘴状部を前記第２の小歯車との協働状態に戻す間に傾く。
【００１８】
図面の簡潔な記載
本発明の他の特徴は、添付の図面を参照して作られている以下の記載を読む際に、より明確に現れるだろう。
【図面の簡単な説明】
【００１９】
【図１】打撃する準備ができている、本発明による３つの時間用構成部、四半時間用構成部、および分用構成部の、香箱側における側面図である。
【図２】打撃する準備ができている、本発明による時間用構成部および四半時間用構成部の、文字盤側における側面図である。
【図３】打撃の前および後におけるそれらの位置にある、本発明による時間用構成部および四半時間用構成部の、香箱側における側面図である。
【図４】打撃の前および後における、本発明による四半時間用構成部および分用構成部の、香箱側における側面図である。
【図５】連結システムが被連結位置にある、本発明による打撃駆動転輪の第１の実施形態の斜視図である。
【図６】図５の横断面図である。
【図７】連結システムが被脱連結位置にある、図５の打撃駆動転輪の一部の斜視図である。
【図８】本発明による打撃駆動転輪の第２の実施形態の斜視図である。
【図９】本発明による打撃駆動転輪の第２の実施形態の斜視図である。
【図１０】本発明による打撃駆動転輪の第２の実施形態の斜視図である。
【図１１】図８の横断面図である。
【発明を実施するための形態】
【００２０】
本発明の詳細な記載
図は、本発明を理解するのに必須である打撃機構の部品のみを示している。明確化目的のために、当業者により知られているありふれた要素は、図面には示されていない。
【００２１】
図１を参照すると、本発明による時計内で用いられる打撃機構１が示されている。
【００２２】
当該機構は、時間用構成部２と、四半時間用構成部４と、分用構成部６と、を備え、それらは、既知の方法で、同じ軸上に取り付けられ、第１の槌を作動させる、時間用上昇部７ａおよび第１の四半時間用上昇部７ｂと、および、同じ軸上に取り付けられ、第１の槌とは異なる音質の音を生成するように配列された第２の槌を作動させる、分用上昇部８ａおよび第２の四半時間用上昇部８ｂと協働するように設計される。
【００２３】
より具体的に図１乃至３を参照すると、時間用構成部２は、円弧の一般的形状にあり、かつその円の中心を通過する軸３の周りに枢動可能に取り付けられる。それは、下文で記載されることになるように、その一方の縁に沿って、円形で、時間用構成部２に対して同心で、かつ打撃駆動転輪の小歯車１０と協働するように配列された歯付き扇形部９を有する開放内側空間を含む。時間用構成部２は、その外縁上に、時間用上昇部７ａを作動させるように配列された時間用歯竿１１と、反対側に、現在時刻に関連する情報を獲得するために、星形転輪１４により支持され、かつ基本の機構部分（図示せず）により伝統的に駆動される、時間用カム１３と協働するように配列された時間用触覚軸部１２と、も備える。時間用触覚軸部１２は、時間用構成部２と一体に作ることができるか、または前記時間用構成部２に堅固に取り付けられた付属要素であり得る。こうした要素は、当業者により知られており、詳細な記載を必要としない。
【００２４】
四半時間用構成部４は、円弧の一般的形状にあり、時間用構成部２の円弧に対して同心であり、かつ軸３の周りに枢動可能に取り付けられる。それは、円形で、同心で、打撃駆動転輪の軸１５の通過を可能にする第１の開放内側空間を有する。既知の方法では、四半時間用構成部４は、２つの音質で四半時間を打つように、その外縁上に、３つの歯を有し、第１の四半時間用上昇部７ｂを作動させるように配列された第１の歯部１６ａと、３つの歯を有し、第２の四半時間用上昇部８ｂを作動させるように配列された第２の歯部１６ｂと、を有する四半時間用歯竿を備える。当該歯竿の反対側に、四半時間用構成部４は、現在時刻に関連する情報を獲得するように、基本の機構部分（図示せず）により伝統的に駆動される、四半時間用カム５と協働するように配列された四半時間用触覚軸部１７を備える。四半時間用触覚軸部１７は、四半時間用構成部４と一体に作ることができるか、または前記四半時間用構成部４に堅固に取り付けられた付属要素であり得る。バネ（図示せず）は、四半時間用触覚軸部１７を四半時間用カム５と接触させるのに貢献する力を、四半時間用構成部４に及ぼすように配列される。こうした要素は、当業者により知られており、詳細な記載を必要としない。
【００２５】
本発明によれば、時間用構成部２および四半時間用構成部４は、駆動歯部と協働する駆動機関を用いて運動学的に接続され、前記駆動機関および前記駆動歯部は、時間の打撃および四半時間のそれの間、または打つ四半時間が全くないときには時間のそれおよび分のそれの間における不動時間を除去するように配列される。
【００２６】
より具体的には、時間用構成部２は、その開放内側空間の縁上に、歯付き扇形部を支持する縁の反対に、軸１９およびその戻りバネ２０の周りに枢動可能に取り付けられた鉤１８を備える。鉤１８において、時間用構成部２は、その枢動を可能にする前記鉤１８用の筐体を形成する凹部を備える。
【００２７】
四半時間用構成部４は、その中心に近づき、円形で、同心で、時間用構成部２に対して配列された第２の開放内側空間を備え、そのため、時間用構成部の鉤１８は、四半時間用構成部４の前記第２の開放内側空間内に現れる。さらに、四半時間用構成部４の前記第２の開放内側空間は、その縁に沿って、鉤１８から横切って、存在する４個の側面が打つ四半時間の数に対応するように大きさを調整された３つの歯を有する、駆動歯部２１を有する（側面１＝０個の四半時間を打つ、側面２＝１個の四半時間を打つ、側面３＝２個の四半時間を打つ、側面４＝３個の四半時間を打つ）。
【００２８】
さらに、第２の塞ぎ止め部２２は、前記構成部の枠上に静止して取り付けられて設けられ、第２の鉤１８は、四半時間用構成部４の位置に応じて第２の駆動歯部２１の歯のうち１つと協働し、不動時間を除去するように枢動するように、前記第２の塞ぎ止め部２２と協働するように配列される。
【００２９】
より具体的には、ピン等の塞ぎ止め部２２は、後に記載されることになるように、時計の枠上に静止して取り付けられて設けられ、時間用構成部２がその軸３の周りで枢動し、かつ鉤１８を駆動する間に倒れるときに、後者が塞ぎ止め部２２に衝突し、かつ駆動歯部２１から解放されるように上昇され、ならびに、時間用構成部が、鉤１８を駆動する間の打撃の最中にその軸３の周りで枢動するときに、前記鉤１８がもはや塞ぎ止め部２２により保持されず、かつ四半時間用構成部４の駆動歯部２１の歯と協働するように枢動するような形状を有する鉤１８と協働する。
【００３０】
図４を参照すると、分用構成部６は、概して円弧の形状にあり、時間用構成部２および四半時間用構成部４の円弧に対して同心であり、かつ軸３の周りに枢動可能に取り付けられる。このようにして、３つの時間用構成部２、四半時間用構成部４、および分用構成部６は、概して同心であり、かつ同じ軸３の周りで枢動する。
【００３１】
分用構成部６は、円形で、同心で、打撃駆動転輪の軸１５の通過を可能にする開放内側空間を有する。既知の方法では、それは、その外縁上に、分用上昇部８ａを作動させるように配列された分用歯竿２５と、反対側に、現在時刻に関連する情報を獲得するように、基本の機構部分（図示せず）により伝統的に駆動される分用カム２７と協働するように配列された分用触覚軸部２６と、を備える。既知の方法では、分用カム２７および四半時間用カム５は、同軸でありかつ吃驚部品２９を備える。分用触覚軸部２６は、分用構成部６と一体に作ることができるか、または前記分用構成部６に堅固に取り付けられた付属要素であり得る。バネ（図示せず）は、分用触覚軸部２６を分用カム２７と接触させるのに貢献する力を、分用構成部６に及ぼすように配列される。こうした要素は、当業者により知られており、詳細な記載を必要としない。
【００３２】
既知の方法では、四半時間用構成部４および分用構成部６は、第１の歯部と協働する駆動機関を用いて運動学的に接続される。
【００３３】
より具体的には、四半時間用構成部４は、その外周囲上に、四半時間用触覚軸部１７の伸長部において、軸３１およびその戻りバネ３２の周りに枢動可能に取り付けられた鉤３０も有する。こうした要素は、図面を複雑にすることを避けるために、図２および３には示されていない。分用構成部６は、鉤３０の高さに、円形で、同心で、四半時間用構成部４に対して配列された開口部を備え、そのため、四半時間用構成部の鉤３０は、分用構成部６の前記開口部内に現れる。さらに、分用構成部６の前記開口部は、その縁に沿って、鉤３０から横切って、１５個の側面が打つ分の数に対応するように大きさを調整された１４個の歯を有する、駆動歯部３４を有する（側面１＝０個の分を打つ、側面２＝１個の分を打つ、．．．．．側面１５＝１４個の分を打つ）。
【００３４】
さらに、ピン等の塞ぎ止め部３６は、時計の枠上に静止して取り付けられて設けられ、四半時間用構成部４がその軸３の周りで枢動し、かつ鉤３０を駆動する間に倒れるときに、前記鉤３０が塞ぎ止め部３６に衝突し、かつ駆動歯部３４から解放されるように上昇され、ならびに、四半時間用構成部４が、鉤３０を駆動する間の打撃の最中にその軸３の周りで枢動するときに、前記鉤３０がもはや塞ぎ止め部３６により保持されず、かつ、後に記載されることになるように、分用構成部６の駆動歯部３４の歯と協働するように枢動するような形状を有する鉤３０と協働する。
【００３５】
本発明による時計に打撃させるためには、時間用構成部２を、任意の適切な打撃駆動転輪に運動学的に接続することができる小歯車１０により駆動しなければならない。そのような打撃駆動転輪の第１の実施形態が、図５乃至７を参照してより具体的に記載されている。この打撃駆動転輪４０は、軸１５に対して同軸に配列され、軸１５に固定された打撃転輪４１と、前記軸１５の周りで自由に回転して取り付けられた小歯車１０と、打撃転輪４１が打撃を可能にするように小歯車１０に運動学的に接続される被連結位置、および、小歯車１０が打撃の準備を可能にするように打撃転輪４１から切断される被脱連結位置の間で動くように配列された連結システム４３と、を備える。
【００３６】
打撃転輪４１は、打撃香箱等のエネルギー源（図示せず）により動力を供給される、打撃列の他の要素と協働する。上記に記載されているように、小歯車１０は、時間用構成部２の歯付き扇形部９と協働する。
【００３７】
連結システム４３は、打撃転輪４１に固定された皿４４と、前記皿４４により支持され、かつ被連結位置および被脱連結位置の間で動くように配列された爪４５と、軸１５の周りで自由に回転して取り付けられ、かつ小歯車１０に固定された小歯車４６と、を備える。爪４５は、図５に示されているように、前記皿４４上に固定された軸４７の周りに皿４４上に枢動可能に取り付けられた第１の端部４５ａと、皿４４上に自由に静止し、かつ被連結位置において小歯車４６と協働するように配列された嘴状部４９で終端する第２の端部４５ｂと、を備える。さらに、爪４５は、爪車５２上に設けられた対応する横長の開口を通過して取り付けられたピン５０を支持する。戻り止め爪車５２は、爪４５より上方で軸１５の周りで自由に回転して取り付けられ、かつ解放レバー等の制御機器（図示せず）により駆動される。ピン５０および嘴状部４９の間にある爪４５の部分は、軸１５に関連して偏心して配列され、そのため、戻り止め爪車５２が、嘴状部４９を小歯車４６から解放するように、被脱連結位置に到達するために前記小歯車４６を皿４４ひいては打撃転輪４１から切断するように制御機関により作動されるときに、その部分は軸１５から離れて動く。
【００３８】
打撃駆動転輪の別の代替的な実施形態が、図８乃至１１を参照してより具体的に記載されている。先の実施形態と同一の部分は、同じ参照番号を用いて示されている。
【００３９】
この打撃駆動転輪６０は、軸１５に対して同軸に配列され、前記軸１５の周りで自由に回転して取り付けられた打撃転輪６１と、軸１５に固定された小歯車１０と、打撃転輪６１が打撃を可能にするように小歯車１０に運動学的に接続される被連結位置、および、小歯車１０が打撃の準備を可能にするように打撃転輪６１から切断される被脱連結位置の間で動くように配列された連結システム６３と、を備える。
【００４０】
打撃転輪６１は、打撃香箱等のエネルギー源（図示せず）により動力を供給される、打撃列の他の要素と協働する。上記に記載されているように、小歯車１０は、時間用構成部２の歯付き扇形部９と協働する。
【００４１】
この変形では、連結システム６３は、軸１５に対して同軸で、かつ解放レバー等の制御機関（図示せず）と協働するように配列された歯部６５を有する歯竿６４を備える。歯竿６４は、制御爪６６およびバネ６７を含む。
【００４２】
当該連結システムは、軸１５の周りで自由に回転して取り付けられた中心管６９に固定された駆動爪車６８も備える。駆動爪車６８は、歯竿６４の制御爪６６と協働するように配列された歯部を備える。中心管６９は歯付き扇形部７０を備え、その役割は下記に記載されることになる。
【００４３】
脱連結爪車７２も、軸１５に固定して設けられる。
【００４４】
さらに、連結システム６３は、支持部７６上に締結された枢軸７７の周りで、前記支持部７６上に枢動可能に取り付けられた皿７５に固定された脱連結爪７４を備える。支持部７６は、打撃転輪６１に固定される。
【００４５】
脱連結爪７４および支持部７６は、第１の小歯車１０に固定された第２の小歯車に対応して、脱連結爪車７２の周りに配列される。脱連結爪７４は、脱連結爪車７２の歯部と協働するように配列された嘴状部７８を備える。
【００４６】
皿７５は、中心管６９およびその歯付き扇形部７０の通過を可能にする中心内側開口部８０を含む。
【００４７】
さらに、中心開口部８０の周囲上に設けられているのは、中心管６９の歯付き扇形部７０と協働するように配列された歯付き扇形部８２である。
【００４８】
打撃駆動転輪６０の緻密性を改善するために、駆動爪車６８は、支持部７６の上部の通過を可能にする開口部を有する。
【００４９】
上記に記載されている要素の動作は、以下のとおりである。遊休時には、当該要素は図３および４に示されている位置にあり、鉤１８および３０は歯部２１および３４とそれぞれ係合され、そのため、時間用構成部、四半時間用構成部、および分用構成部は、運動学的に接続される。こうした構成部は、打撃駆動転輪の小歯車１０が、時間用構成部２の歯付き扇形部９の最初の歯と嵌合するように位置付けられる（図３および４中の右）。打撃駆動転輪は被連結位置にある。図５中の被連結位置に示されている駆動転輪４０を参照すると、打撃制御機構が作動されるときに、それは反時計回りに戻り止め爪車５２を駆動し、そのため、爪４５の第２の端部４５ｂもピン５０を用いて反時計回りに動かされる。動く際に、第２の端部４５ｂは小歯車４６から離れて動き、そのため、嘴状部４９は前記小歯車４６から解放される。その後、図７に示されているように、打撃駆動転輪４０は被脱連結位置にある。
【００５０】
この被脱連結位置では、互いに固定された小歯車１０および４６は、もはや打撃転輪４１に運動学的に接続されず、そのため軸１５の周りで自由に枢動することを理解されたい。
【００５１】
駆動転輪６０を参照すると、打撃制御機関が作動されるときに、それは、所定の角度にわたり反時計回りに歯竿６４をその歯部６５により駆動する。その後、制御爪６６は、それと一体である中心管６９、およびその歯付き扇形部７０をそれだけで駆動する駆動爪車６８を駆動する。共に回転する全ての部品において、中心管６９は組立体用の１つの長い単一の軸受けを形成し、それは動作品質を改善する。回転する際に、中心管６９の歯付き扇形部７０は、皿７５の歯付き扇形部８２を押し、それにより、前記皿７５およびそれと固定された脱連結爪７４にその枢軸７７の周りで反時計回りに回転させる。前記枢軸７７は軸１５に対してずらされるので、脱連結爪７４の運動は軸１５に対して同心でない。このようにして、脱連結爪７４の嘴状部７８はその脱連結爪車７２から解放され、被脱連結位置に到達する。この被脱連結位置では、脱連結爪車７２が軸１５および小歯車１０に固定され、かつ脱連結爪７４が皿７５およびその枢軸７７により打撃転輪６１に接続されるので、前記小歯車１０は、もはや打撃転輪６１に運動学的に接続されず、そのため軸１５の周りで自由に枢動することを理解されたい。
【００５２】
それにより、時間用構成部２もその軸３の周りで自由に枢動し、その歯付き扇形部９は解放された小歯車１０を回転させる。その後、その戻りバネの作用の下で、時間用構成部２は、時間用触覚軸部１２が現在時刻に応じて位置付けられた時間用カム１３に到達するまで時計回りに回転する。その後、小歯車１０は、歯付き扇形部９上に対応して位置付けられる（図１中の左）。
【００５３】
時間用構成部２が回転されるときに、鉤１８は塞ぎ止め部２２に衝突し、そのため、後者は枢動し、かつ歯部２１から解放される。そのため、四半時間用構成部４は解放される。そのバネからの推力の下で、四半時間用構成部４は時計回りに枢動し、かつ現在時刻に応じて位置付けられた四半時間用カム５上に倒れる。同様に、四半時間用構成部４の回転の最中に、鉤３０は塞ぎ止め部３６に衝突し、そのため、後者は枢動し、かつ歯部３４から解放される。そのため、分用構成部６は解放される。そのバネからの推力の下で、分用構成部６は時計回りに枢動し、かつ現在時刻に応じて位置付けられた分用カム２７上に倒れる。このように、図１および２に示されているように配置された部品は、打撃列のエネルギー源により動力を供給されて、打撃するように作用する。
【００５４】
打撃駆動転輪４０を参照すると、戻り止め爪車５２を駆動する制御機関は、バネにより静止位置に戻され、かつ戻り止め爪車５２を妨害する。その後、打撃の最中に、それは戻り止め爪車５２用の環鎖として用いられることになる。
【００５５】
打撃転輪４１は、打撃列の他の要素により反時計回りに駆動され、そのため、皿４４、軸４７、および爪４５の第１の端部４５ａも、反時計回りの方向に進む。戻り止め爪車５２内に係合され、その制御機関により回転中に係止されるピン５０は爪４５を保持し、そのため、前記爪４５は、軸４７の周りで傾動する一方で、嘴状部４９が前記小歯車４６と協働し、図５に示されている被連結位置に到達するまで、小歯車４６に向かって嘴状部４９を戻す。その位置では、小歯車４６および１０は爪４５を用いて駆動転輪４１に運動学的に接続され、そのため、小歯車１０は反時計回りに枢動する。
【００５６】
打撃駆動転輪６０を参照すると、制御機関は、バネにより静止位置に戻され、かつ歯竿６４の歯部６５を妨害する。その後、その制御爪６６は、バネ６７の力を通じて駆動爪車６８を保持する。駆動爪車が保持されるので、中心管６９およびその歯付き扇形部７０も保持される。その後、中心管６９の歯付き扇形部７０は、皿７５の歯付き扇形部８２を保持する。
【００５７】
打撃転輪６１は、反時計回りの方向に打撃列の他の要素により駆動される。皿７５の枢軸７７は当該打撃転輪に固定されるので、それも反時計回りに進む。皿７５の枢軸７７の運動およびその歯付き扇形部８２の力の組み合わせは脱連結爪７４の運動を引き起こし、その嘴状部７８はその脱連結爪車７２に向かって傾動する。脱連結爪７４の嘴状部７８は脱連結爪車７２に到達し、その後被連結位置に到達するようにそれを押し始める。その位置では、脱連結爪車７２が軸１５ひいては小歯車１０に固定されるので、その後、前記小歯車１０は、脱連結爪７４を用いて打撃転輪６１に運動学的に接続され、そのため、小歯車１０は反時計回りに枢動する。
【００５８】
連結された時点で、皿７５の歯付き扇形部８２を介して、中心管６９ひいてはそれと固定された駆動爪車６８を駆動するのは脱連結爪７４である。歯竿６４がその制御機関により保持されるので、それはその方向に動くことはできず、そして、その制御爪６６は駆動爪車６８が通過することを可能にするように配列される。
【００５９】
反時計回りに枢動する小歯車１０は、反時計回りの方向に時間用構成部２の回転運動を駆動する。時間用歯竿１１は、現在時刻に応じて第１の槌を上昇させるように時間用上昇部７ａと協働する。時間が打ったときに、時間用構成部２はそれを用いて鉤１８を駆動することによりその回転を継続する。鉤１８は、塞ぎ止め部２２を離れ、枢動し、かつ、現在時刻に依存する四半時間用構成部４の位置に応じて駆動歯部２１の歯のうち１つと接触するように配列される。
【００６０】
本発明による、時間用構成部による四半時間用構成部の、前記構成部の一方または他方にそれぞれ設けられた鉤および歯部を用いる駆動により、不動時間を除去することが可能になる。実際には、鉤１８および駆動歯部２１は、鉤１８が打つ四半時間の数に対応する駆動歯部２１の歯を直接貫通するように大きさを調整されかつ位置付けられる。
【００６１】
時間が打つのを終えたときに、鉤１８は、打たれた時間の数にかかわらず、依然として同じ場所にある。結果として、それは、打つ四半時間の数に応じて、四半時間用触覚軸部を用いて鉤から横切って位置付けられる、四半時間用構成部の歯上に倒れる。
【００６２】
鉤１８を用いて時間用構成部２により駆動される四半時間用構成部４は、反時計回りに枢動し、その歯部１６ａ、１６ｂは、現在時刻に応じて第１の槌および第２の槌を上昇させるように、四半時間用上昇部７ｂ、８ｂと協働する。
【００６３】
四半時間が打ったときに、四半時間用構成部４はそれを用いて鉤３０を駆動することによりその回転を継続する。鉤３０は、塞ぎ止め部３６を離れ、枢動し、かつ、現在時刻に依存する分用構成部６の位置に応じて駆動歯部３４の歯のうち１つと接触するように配列される。
【００６４】
鉤３０を用いて四半時間用構成部４により駆動される分用構成部６は、反時計回りに枢動し、分用歯竿２５は、現在時刻に応じて第２の槌を上昇させるように、分用上昇部８ａと協働する。
【００６５】
不動時間を除去することに加えて、本発明による、時間用構成部による四半時間用構成部の、前記構成部の一方または他方にそれぞれ設けられた鉤および歯部を用いる駆動により、時間用爪車、四半時間用小歯車、およびピンと協働する指針等のその駆動機構を備える伝統的な打撃駆動転輪と比較して、打撃駆動転輪を簡素化することが可能になる。
【図１】
0005968311.tif 000002
【図２】
0005968311.tif 000003
【図３】
0005968311.tif 000004
【図４】
0005968311.tif 000005
【図５】
0005968311.tif 000006
【図６】
0005968311.tif 000007
【図７】
0005968311.tif 000008
【図８】
0005968311.tif 000009
【図９】
0005968311.tif 000010
【図１０】
0005968311.tif 000011
【図１１】
0005968311.tif 000012